(57)【要約】【課題】外装材の接合部における止水性を格段に向上させることが可能な補助目地材およびこれを用いてなる外装材の接合部の構造の提供。【解決手段】建物の壁面２において隣接する外装材３、４の向かい合う上サネ３ａ、４ａどうしの下部の隙間に嵌め込まれるものであり、前記壁面２の上下方向に延在する目地材本体１０と、この目地材本体１０に沿って延在し、前記上サネ３ａ、４ａに弾性的に密接しながら前記上サネ３ａ、４ａどうしの隙間に露出する１次リップ１１と、前記目地材本体１０または１次リップ１１の幅方向両側に、外部側に向けて延出形成され、かつ前記上サネ３ａ、４ａに弾性的に密接する２次リップ１２、１３と、前記目地材本体１０の裏面に形成され、この目地材本体１０を前記建物の壁面２から離間するように付勢する弾性脚部１４とを備えた補助目地材およびこれを用いてなる外装材の接合部の構造。【選択図】図１
2007009469.tif 000002
【特許請求の範囲】
【請求項１】
建物の壁面に隣接して取り付けられる外装材どうしの上サネと上サネとが向かい合う際に、これら向かい合う上サネどうしの下部の隙間に嵌め込まれる補助目地材において、
前記建物の壁面の上下方向に延在する目地材本体と、
この目地材本体に沿って延在し、かつ前記目地材本体の表面に形成されることにより前記上サネに弾性的に密接しながら前記上サネどうしの隙間に露出する１次リップと、
前記目地材本体または１次リップの幅方向両側に、外部側に向けて延出形成され、かつ前記上サネに弾性的に密接する２次リップと、
前記目地材本体の裏面に形成され、この目地材本体を前記建物の壁面から離間するように付勢する弾性脚部とを備えていることを特徴とする補助目地材。
【請求項２】
請求項１に記載の補助目地材において、
前記１次リップは、その内部に中空部を有し、前記２次リップの先端部は前記１次リップから離間していることを特徴とする補助目地材。
【請求項３】
請求項１または２に記載の補助目地材において、
前記目地材本体または１次リップの幅方向両側に形成される２次リップのうち、一方の２次リップと前記弾性脚部とは、他方の２次リップが形成されている側に向けて傾斜していることを特徴とする補助目地材。
【請求項４】
請求項１〜３のいずれか一項に記載の補助目地材を用いてなる外装材の接合部の構造であって、
幅方向一端に下サネを他端に上サネを備えた第１の外装材と、両端に上サネを備えた第２の外装材とが、これら外装材どうしの上サネと上サネとが向かい合うようにして建物の壁面に取り付けられており、
これら向かい合う上サネと前記建物の壁面との間に隙間が形成され、この隙間に前記目地材本体が前記建物の壁面の上下方向に延在するようにして嵌め込まれ、
前記目地材本体が前記弾性脚部によって前記建物の壁面から離間するように付勢されており、前記１次リップおよび２次リップが前記上サネに弾性的に密接していることを特徴とする外装材の接合部の構造。
【請求項５】
請求項４に記載の外装材の接合部の構造において、
前記第１および第２の外装材の高さと略同じ高さにわたって前記補助目地材が前記隙間に嵌め込まれていることを特徴とする外装材の接合部の構造。
【発明の詳細な説明】
【技術分野】
【０００１】
本発明は、建物の壁面に隣接して取り付けられる外装材どうしの上サネと上サネとが向かい合う際に、これら向かい合う上サネどうしの下部の隙間に嵌め込まれる補助目地材およびこれを用いてなる外装材の接合部の構造に関する。
【背景技術】
【０００２】
従来より、建物の外壁の施工に係り、隣接する外装材と外装材との接合を、これら外装材の端部に形成されたサネどうしの嵌め合わせによって行う技術が知られている（例えば、特許文献１参照）。
この特許文献１に記載のような技術は、建物の壁面に貼り付けられる主仕上げ板材と、建物のコーナ部に取り付けられるコーナ仕上げ板材との向かい合うメスサネどうしの下部の隙間に、オスサネ（以下、下サネ）を形成するための下ザネ補助材を嵌め込んだ構成となっており、特に、建物のコーナ部分の施工性を向上させることが可能となっている。
【特許文献１】特開２００５−０７６２０２号公報
【発明の開示】
【発明が解決しようとする課題】
【０００３】
ところで、上述のような下ザネ補助材はゴム製であり、弾力性を備えている。そして、このように下ザネ補助材が弾力性を備えていることにより、前記コーナ仕上げ板材（以下、コーナ用外装材）と主仕上げ板材（以下、外装材）との接合部の止水性を高めることができるようになっている。
【０００４】
ところが、このような下ザネ補助材は、その断面形状が台形状や長方形状に形成されたものであることから、例えば、前記両メスサネと建物の壁面との間隔が大きい場合に、前記下ザネ補助材（以下、補助目地材）とメスサネ（以下、上サネ）との間から雨水等が染み込む場合があった。
このため、建物の外壁の施工に際し、隣接して取り付けられる外装材どうしの接合部の止水性をより向上させることができるような技術の開発が強く望まれていた。
【０００５】
本発明の課題は、建物の壁面に取り付けられる外装材の接合部における止水性を格段に向上させることが可能な補助目地材およびこれを用いてなる外装材の接合部の構造を提供することを目的とする。
【課題を解決するための手段】
【０００６】
請求項１に記載の発明は、例えば図１および図２に示すように、建物の壁面２に隣接して取り付けられる外装材３、４どうしの上サネ３ａと上サネ４ａとが向かい合う際に、これら向かい合う上サネ３ａ、４ａどうしの下部の隙間に嵌め込まれる補助目地材１において、
前記建物の壁面２の上下方向に延在する目地材本体１０と、
この目地材本体１０に沿って延在し、かつ前記目地材本体１０の表面に形成されることにより前記上サネ３ａ、４ａに弾性的に密接しながら前記上サネ３ａ、４ａどうしの隙間に露出する１次リップ１１と、
前記目地材本体１０または１次リップ１１の幅方向両側に、外部側に向けて延出形成され、かつ前記上サネ３ａ、４ａに弾性的に密接する２次リップ１２、１３と、
前記目地材本体１０の裏面に形成され、この目地材本体１０を前記建物の壁面２から離間するように付勢する弾性脚部１４とを備えていることを特徴とする。
【０００７】
請求項１に記載の発明によれば、前記向かい合う上サネ３ａ、４ａどうしの下部の隙間に前記目地材本体１０が前記建物の壁面２の上下方向に延在するようにして嵌め込まれるので、前記目地材本体１０の表面に形成される前記１次リップ１１が前記上サネ３ａ、４ａに弾性的に密接しながら前記上サネ３ａ、４ａどうしの隙間に露出する。また、前記目地材本体１０または１次リップ１１の幅方向両側に、外部側に向けて延出形成された前記２次リップ１２、１３が前記上サネ３ａ、４ａに弾性的に密接する。
そして、前記目地材本体１０の裏面に形成された前記弾性脚部１４によってこの目地材本体１０を前記建物の壁面２から離間するように付勢するので、前記１次リップ１１は、前記上サネ３ａ、４ａに対して強く密接して雨水等の侵入を防ぐことができる。一方、前記２次リップ１２、１３も前記上サネ３ａ、４ａに対して強く密接するので、前記１次リップ１１と併せ、両度にわたって雨水等の侵入を防ぐことが可能となる。
したがって、前記向かい合う上サネ３ａ、４ａどうしの下部の隙間に雨水等が侵入することを確実に防ぐことができ、外装材３、４の接合部Ａの止水性を格段に向上させることが可能となる。
【０００８】
請求項２に記載の発明は、例えば図１および図２に示すように、請求項１に記載の補助目地材１において、
前記１次リップ１１は、その内部に中空部１１ａを有し、前記２次リップ１２、１３の先端部は前記１次リップ１１から離間していることを特徴とする。
【０００９】
請求項２に記載の発明によれば、前記１次リップ１１が、その内部に中空部１１ａを有することにより、この１次リップ１１が弾性的に撓み易くなるので、前記向かい合う上サネ３ａ、４ａどうしの下部の隙間に容易に嵌め込むことができるとともに、その弾性復帰力によって前記上サネ３ａ、４ａに弾性的に、より確実に密接することが可能となる。したがって、この１次リップ１１によって前記向かい合う上サネ３ａ、４ａどうしの下部の隙間に雨水等が侵入することを防ぐことができ、外装材３、４の接合部Ａの止水性を向上させることが可能となる。
また、前記２次リップ１２、１３の先端部が前記１次リップ１１から離間していることから、前記向かい合う上サネ３ａ、４ａどうしの下部の隙間において、前記１次リップ１１の幅方向両側に、前記２次リップ１２、１３によって更に雨水止めを形成している状態となるので、前記１次リップ１１と併せ、両度にわたって雨水等の侵入を防ぐことが可能となる。したがって、前記向かい合う上サネ３ａ、４ａどうしの下部の隙間に雨水等が侵入することを確実に防ぐことができ、外装材３、４の接合部Ａの止水性を格段に向上させることが可能となる。
【００１０】
請求項３に記載の発明は、例えば図１に示すように、請求項１または２に記載の補助目地材１において、
前記目地材本体１０または１次リップ１１の幅方向両側に形成される２次リップ１２、１３のうち、一方の２次リップ１２と前記弾性脚部１４とは、他方の２次リップ１３が形成されている側に向けて傾斜していることを特徴とする。
【００１１】
請求項３に記載の発明によれば、前記一方の２次リップ１２と弾性脚部１４とが、前記他方の２次リップ１３が形成されている側に向けて傾斜しているので、前記補助目地材１を取り付ける際に、前記建物の壁面２に隣接して取り付けられる外装材３、４のうち、一方の外装材３の上サネ３ａの下部に差し込み易くなっている。したがって、従来に比して、外装材３、４の接合に係る施工性を向上させることが可能となる。
【００１２】
請求項４に記載の発明は、例えば図２〜図４に示すように、請求項１〜３のいずれか一項に記載の補助目地材１を用いてなる外装材３、４（４０）の接合部Ａ（Ｂ）の構造であって、
幅方向一端に下サネ３ｃを他端に上サネ３ａを備えた第１の外装材３と、両端に上サネ４ａ（４０ａ）、４ａ（４０ａ）を備えた第２の外装材４（４０）とが、これら外装材３、４（４０）どうしの上サネ３ａと上サネ４ａ（４０ａ）とが向かい合うようにして建物の壁面２に取り付けられており、
これら向かい合う上サネ３ａ、４ａ（４０ａ）と前記建物の壁面２との間に隙間が形成され、この隙間に前記目地材本体１０が前記建物の壁面２の上下方向に延在するようにして嵌め込まれ、
前記目地材本体１０が前記弾性脚部１４によって前記建物の壁面２から離間するように付勢されており、前記１次リップ１１および２次リップ１２、１３が前記上サネ３ａ、４ａ（４０ａ）に弾性的に密接していることを特徴とする。
【００１３】
請求項４に記載の発明によれば、幅方向一端に下サネ３ｃを他端に上サネ３ａを備えた第１の外装材３と、両端に上サネ４ａ（４０ａ）、４ａ（４０ａ）を備えた第２の外装材４（４０）とが、これら外装材３、４（４０）どうしの上サネ３ａと上サネ４ａ（４０ａ）とが向かい合うようにして建物の壁面２に取り付けられているので、これら向かい合う上サネ３ａ、４ａ（４０ａ）どうしの下部に前記隙間が生じることとなる。
そして、この隙間に前記目地材本体１０が前記建物の壁面２の上下方向に延在するようにして嵌め込まれるので、前記目地材本体１０の表面に形成される前記１次リップ１１が前記上サネ３ａ、４ａ（４０ａ）に弾性的に密接しながら、前記上サネ３ａ、４ａ（４０ａ）どうしの隙間に露出する。また、前記目地材本体１０または１次リップ１１の幅方向両側に、外部側に向けて延出形成された前記２次リップ１２、１３が前記上サネ３ａ、４ａ（４０ａ）に弾性的に密接する。
さらに、前記目地材本体１０の裏面に形成された前記弾性脚部１４によってこの目地材本体１０を前記建物の壁面２から離間するように付勢するので、前記１次リップ１１は、前記上サネ３ａ、４ａ（４０ａ）に対して強く密接して雨水等の侵入を防ぐことができる。一方、前記２次リップ１２、１３も前記上サネ３ａ、４ａ（４０ａ）に対して強く密接するので、前記１次リップ１１と併せ、両度にわたって雨水等の侵入を防ぐことが可能となる。
したがって、前記向かい合う上サネ３ａ、４ａ（４０ａ）どうしの下部の隙間に雨水等が侵入することを確実に防ぐことができ、外装材３、４（４０）の接合部Ａ（Ｂ）の防水性を格段に向上させることが可能となる。
一方、前記補助目地材１は、前記第１および第２の外装材３、４（４０）の上サネ３ａ、４ａ（４０ａ）どうしの下部の隙間に嵌め込まれることにより下サネとしての役割を果たすこととなる。このことから、前記建物の外壁を施工する際に、前記第１の外装材３の上サネ３ａの下部に前記補助目地材１を嵌め込んでおき、この補助目地材１の上から他方の外装材４（４０）を被せて固定するだけで、簡単に取り付けが完了するので、建物の外壁の施工性を向上させることが可能となる。
【００１４】
請求項５に記載の発明は、例えば図２〜図４に示すように、請求項４に記載の外装材３、４（４０）の接合部Ａ（Ｂ）の構造において、
前記第１および第２の外装材３、４（４０）の高さと略同じ高さにわたって前記補助目地材１が前記隙間に嵌め込まれていることを特徴とする。
【００１５】
請求項５に記載の発明によれば、前記第１および第２の外装材３、４（４０）の高さと略同じ高さにわたって前記補助目地材１が前記隙間に嵌め込まれているので、前記隙間を塞いで雨水等の侵入を防ぐことができるとともに、外観性も向上させることができる。
【発明の効果】
【００１６】
本発明によれば、建物の壁面に隣接して取り付けられる外装材どうしの上サネと上サネとが向かい合う際に、これら向かい合う上サネどうしの下部の隙間に嵌め込まれる補助目地材の目地材本体が、前記建物の壁面の上下方向に延在するようにして嵌め込まれるので、前記目地材本体の表面に形成される１次リップが前記上サネに弾性的に密接しながら前記上サネどうしの隙間に露出する。また、前記目地材本体または１次リップの幅方向両側に、外部側に向けて延出形成された２次リップが前記上サネに弾性的に密接する。
そして、前記目地材本体の裏面に形成された弾性脚部によってこの目地材本体を前記建物の壁面から離間するように付勢するので、前記１次リップは、前記上サネに対して強く密接して雨水等の侵入を防ぐことができる。一方、前記２次リップも前記上サネに対して強く密接するので、前記１次リップと併せ、両度にわたって雨水等の侵入を防ぐことが可能となる。
したがって、前記向かい合う上サネどうしの下部の隙間に雨水等が侵入することを確実に防ぐことができ、外装材の接合部の止水性を格段に向上させることが可能となる。
一方、前記建物の外壁を施工する際に、前記建物の壁面に隣接して取り付けられる一方の外装材の上サネの下部に前記補助目地材を嵌め込んでおき、この補助目地材の上から他方の外装材を被せて固定するだけで、簡単に取り付けが完了する。また、この時、前記目地材本体または１次リップの幅方向両側に延出形成された２次リップのうち、どちらか一方の２次リップと弾性脚部とが、他方の２次リップが形成されている側に向けて傾斜しており、前記補助目地材を取り付ける際に、前記建物の壁面に隣接して取り付けられる外装材のうち、一方の外装材の上サネの下部に差し込み易くなっている。したがって、従来に比して、外装材の接合に係る施工性を向上させることが可能となり、延いては、建物の外壁の施工性を向上させることが可能となる。
【発明を実施するための最良の形態】
【００１７】
以下、図面を参照して本発明に係る補助目地材１およびこれを用いてなる外装材３、４（４０）の接合部Ａ（Ｂ）の構造の実施の形態について説明する。
なお、本実施の形態の建物は、壁や床、屋根といった建物の構成要素を予め工場にてパネル化しておき、施工現場でこれらのパネルを組み立てるパネル工法で構築される。
【００１８】
［第１の実施の形態］
本実施の形態の補助目地材１は、図１および図２に示すように、建物の壁面２に隣接して取り付けられる外装材３、４どうしの上サネ３ａと上サネ４ａとが向かい合う際に、これら向かい合う上サネ３ａ、４ａどうしの下部の隙間に嵌め込まれるものであり、
前記建物の壁面２の上下方向に延在する目地材本体１０と、
この目地材本体１０に沿って延在し、かつ前記目地材本体１０の表面に形成されることにより前記上サネ３ａ、４ａに弾性的に密接しながら前記上サネ３ａ、４ａどうしの隙間に露出する１次リップ１１と、
前記目地材本体１０または１次リップ１１の幅方向両側に、外部側に向けて延出形成され、かつ前記上サネ３ａ、４ａに弾性的に密接する２次リップ１２、１３と、
前記目地材本体１０の裏面に形成され、この目地材本体１０を前記建物の壁面２から離間するように付勢する弾性脚部１４とを備えている。
【００１９】
ここで、前記上サネ３ａ、４ａとは、前記外装材３、４の各端面から突出する突起を指し、本実施の形態では、前記外装材３、４の表面側の面の端面を延出させた突起を前記上サネ３ａ、４ａと称する。一方、前記外装材３が取り付けられる建物の外壁側の面を端面から延出させた突起を下サネ３ｃとする。
【００２０】
前記外装材３、４は、図２に示すように、建物の壁面２に、隣接する外装材３、４の上サネ３ａと上サネ４ａとが向かい合うようにして取り付けられている。
なお、本実施の形態では、前記外装材３、４の表面全体に複数のタイル３ｂ、４ｂが等間隔に並べて貼り付けられた構成としているが、これに限られるものではなく、例えば、押出形成された合成樹脂製の外装材や金属製の外装材等でも良い。すなわち、本発明の趣旨を逸脱しない範囲で適宜変更可能である。
【００２１】
前記目地材本体１０は、図１に示すように、補助目地材１の略中心にあり、前記建物の壁面２の上下方向に延在するように長尺に、かつ平板状に形成されている。また、この目地材本体１０の一部がこの目地材本体１０の長さ方向に沿って切り欠かれている。
【００２２】
前記１次リップ１１は、前記目地材本体１０に沿って延在し、かつ前記目地材本体１０の表面に形成されており、その内部に中空部１１ａを有している。
このように、その内部に中空部１１ａを有することにより、前記１次リップ１１が、その内部に中空部１１ａを有することにより、この１次リップ１１が弾性的に撓み易くなるので、前記向かい合う上サネ３ａ、４ａどうしの下部の隙間に容易に嵌め込むことができるとともに、その弾性復帰力によって前記上サネ３ａ、４ａに弾性的に、より確実に密接することが可能となる。したがって、この１次リップ１１によって前記向かい合う上サネ３ａ、４ａどうしの下部の隙間に雨水等が侵入することを防ぐことができ、外装材３、４の接合部Ａの止水性を向上させることが可能となっている。
【００２３】
また、この１次リップ１１は、図１および図２に示すように、２層構造となっており、その表層部分１１ｂは内部側の層とは異なる色によって構成されている。したがって、様々な色の補助目地材１を用意しておけば、補助目地材１が用いられる建物の外装材３、４の色に相応しい色を適宜選ぶことができるようになっている。
【００２４】
前記２次リップ１２、１３は、図１に示すように、前記目地材本体１０または１次リップ１１の幅方向両側に、外部側に向けて延出形成され、その先端部が前記１次リップ１１から離間している。
このように、その先端部が前記１次リップ１１から離間していることによって、前記向かい合う上サネ３ａ、４ａどうしの下部の隙間において、前記１次リップ１１の幅方向両側に、前記２次リップ１２、１３によって更に雨水止めを形成している状態となるので、前記１次リップ１１と併せ、両度にわたって雨水等の侵入を防ぐことが可能となる。したがって、前記向かい合う上サネ３ａ、４ａどうしの下部の隙間に雨水等が侵入することを確実に防ぐことができ、外装材３、４の接合部Ａの止水性を格段に向上させることが可能となる。
【００２５】
前記弾性脚部１４は、前記目地材本体１０の裏面に形成され、この目地材本体１０を前記建物の壁面２から離間するように付勢するものである。
また、目地材本体１０または１次リップ１１の幅方向両側に形成される２次リップ１２、１３のうち、一方の２次リップ１２と前記弾性脚部１４とは、他方の２次リップ１３が形成されている側に向けて傾斜している。
これにより、前記補助目地材１を取り付ける際に、前記建物の壁面２に隣接して取り付けられる外装材３、４のうち、一方の外装材３の上サネ３ａの下部に差し込み易くなっている。したがって、従来に比して、外装材３、４の接合に係る施工性を向上させることが可能となっている。
【００２６】
なお、前記弾性脚部１４は、本実施の形態では上述のような形状としたが、これに限られるものではなく、例えば、図５（ａ）、（ｂ）に示すように、突起状の弾性脚部１５が形成されたものや、中空状の弾性脚部１６を備えたものでも良い。これは、前記補助目地材１が嵌め込まれる前記上サネ３ａ、４ａどうしの下部と前記建物の壁面２との間隔が大きい場合等において、それぞれ相応しい形状のものを用いるためである。
【００２７】
また、なお、本実施の形態の補助目地材１は、ゴム等の樹脂を押出成形によって一体的に成形したものが用いられているが、これに限られるものではなく、弾力性を備え、前記向かい合う上サネ３ａ、４ａどうしの下部の隙間に嵌め込まれるという本発明の趣旨を逸脱しない範囲で適宜変更可能であることは言うまでもない。
【００２８】
以上のような補助目地材１によれば、前記向かい合う上サネ３ａ、４ａどうしの下部の隙間に前記目地材本体１０が前記建物の壁面２の上下方向に延在するようにして嵌め込まれるので、前記目地材本体１０の表面に形成される前記１次リップ１１が前記上サネ３ａ、４ａに弾性的に密接しながら前記上サネ３ａ、４ａどうしの隙間に露出する。また、前記目地材本体１０または１次リップ１１の幅方向両側に、外部側に向けて延出形成された前記２次リップ１２、１３が前記上サネ３ａ、４ａに弾性的に密接する。
そして、前記目地材本体１０の裏面に形成された前記弾性脚部１４によってこの目地材本体１０を前記建物の壁面２から離間するように付勢するので、前記１次リップ１１は、前記上サネ３ａ、４ａに対して強く密接して雨水等の侵入を防ぐことができる。一方、前記２次リップ１２、１３も前記上サネ３ａ、４ａに対して強く密接するので、前記１次リップ１１と併せ、両度にわたって雨水等の侵入を防ぐことが可能となる。
したがって、前記向かい合う上サネ３ａ、４ａどうしの下部の隙間に雨水等が侵入することを確実に防ぐことができ、外装材３、４の接合部Ａの止水性を格段に向上させることが可能となる。
【００２９】
次に、以上のような補助目地材１を用いてなる外装材３、４の接合部Ａの構造について説明する。
【００３０】
本実施の形態の外装材３、４の接合部Ａの構造は、図２に示すように、上述した補助目地材１を用いてなり、
幅方向一端に下サネ３ｃを他端に上サネ３ａを備えた第１の外装材３と、両端に上サネ４ａ、４ａを備えた第２の外装材４とが、これら外装材３、４どうしの上サネ３ａと上サネ４ａとが向かい合うようにして建物の壁面２に取り付けられており、
これら向かい合う上サネ３ａ、４ａと前記建物の壁面２との間に隙間が形成され、この隙間に前記目地材本体１０が前記建物の壁面２の上下方向に延在するようにして嵌め込まれ、
前記目地材本体１０が前記弾性脚部１４によって前記建物の壁面２から離間するように付勢されており、前記１次リップ１１および２次リップ１２、１３が前記上サネ３ａ、４ａに弾性的に密接した構成となっている。
【００３１】
また、前記第１および第２の外装材３、４の高さと略同じ高さにわたって前記補助目地材１が前記隙間に嵌め込まれており、これによって、前記第１および第２の外装材３、４の間の隙間を確実に塞いで雨水等の侵入を防ぐことができるとともに、見映えも良く、外観性の向上を図ることが可能となる。
【００３２】
一方、上述したように、本実施の形態の建物は、壁や床、屋根といった建物の構成要素を予め工場にてパネル化しておき、施工現場でこれらのパネルを組み立てるパネル工法で構築されるものである。
すなわち、外装材３、４の接合部Ａの施工方法としては、前記幅方向一端に下サネ３ｃを他端に上サネ３ａを備えた構成の第１の外装材３を、予め工場において接合して、胴縁５を介して壁パネル２０に取り付けておく。
そして、このように予め工場において前記第１の外装材３を壁パネル２０に取り付けておくことによって、施工現場では、前記第１の外装材３を取り付ける手間を省くことができるだけでなく、壁パネル２０に取り付けられた第１の外装材３の上サネ３ａに前記補助目地材１を差し込んで、その上から前記両端に上サネ４ａ、４ａを備えた第２の外装材４を嵌め合わせて固定するだけで外壁の施工を行うことができるようになっている。
また、前記補助目地材１は、予め工場において前記第１の外装材３の上サネ３ａの下部に差し込んで固定しておいても良い。これにより、施工現場において補助目地材１を取り付ける手間を省くことができるので好ましい。
【００３３】
さらに、前記壁パネル２０の表面に予め防水透湿シート６を設けておくと好ましい。すなわち、前記第１および第２の外装材３、４と建物の壁面２との間に前記防水透湿シート６を設けることによって、この防水透湿シート６の裏側に雨水等が浸入することを防ぐことができるので、さらに防水性の向上を図ることができるようになっている。
【００３４】
なお、以上のような外装材３、４の取り付け方法としては、サネ接合を行ってから、釘打やビス止め等の方法によって行われる。
【００３５】
以上のような外装材３、４の接合部Ａの構造によれば、幅方向一端に下サネ３ｃを他端に上サネ３ａを備えた第１の外装材３と、両端に上サネ４ａ、４ａを備えた第２の外装材４とが、これら外装材３、４どうしの上サネ３ａと上サネ４ａとが向かい合うようにして建物の壁面２に取り付けられているので、これら向かい合う上サネ３ａ、４ａどうしの下部に前記隙間が生じることとなる。
そして、この隙間に前記目地材本体１０が前記建物の壁面２の上下方向に延在するようにして嵌め込まれるので、前記目地材本体１０の表面に形成される前記１次リップ１１が前記上サネ３ａ、４ａに弾性的に密接しながら前記上サネ３ａ、４ａどうしの隙間に露出する。また、前記目地材本体１０または１次リップ１１の幅方向両側に、外部側に向けて延出形成された前記２次リップ１２、１３が前記上サネ３ａ、４ａに弾性的に密接する。
さらに、前記目地材本体１０の裏面に形成された前記弾性脚部１４によってこの目地材本体１０を前記建物の壁面２から離間するように付勢するので、前記１次リップ１１は、前記上サネ３ａ、４ａに対して強く密接して雨水等の侵入を防ぐことができる。一方、前記２次リップ１２、１３も前記上サネ３ａ、４ａに対して強く密接するので、前記１次リップ１１と併せ、両度にわたって雨水等の侵入を防ぐことが可能となる。
したがって、前記向かい合う上サネ３ａ、４ａどうしの下部の隙間に雨水等が侵入することを確実に防ぐことができ、外装材３、４の接合部Ａの防水性を格段に向上させることが可能となる。
一方、前記補助目地材１は、前記第１および第２の外装材３、４の上サネ３ａ、４ａどうしの下部の隙間に嵌め込まれることにより下サネとしての役割を果たすこととなる。このことから、前記建物の外壁を施工する際に、前記第１の外装材３の上サネ３ａの下部に前記補助目地材１を嵌め込んでおき、その上から他方の外装材４を被せて固定するだけで、簡単に取り付けが完了するので、建物の外壁の施工性を向上させることが可能となる。
【００３６】
［第２の実施の形態］
以下、図面を参照して上述した外装材３、４の接合部Ａの構造の他の実施の形態について説明する。なお、説明の便宜上、上述した第１の実施の形態とは異なる構成部分のみについて説明する。
【００３７】
すなわち、本実施の形態は、外装材３、４０の接合部Ｂの構造であり、図３に示すように、建物のコーナ部３０において向かい合う上サネ３ａ、４０ａどうしの下部の隙間に前記補助目地材１を嵌め込むことが示されている。
ここで、上述した前記第２の外装材４に代わり、前記建物のコーナ部３０に取り付けられ、かつ表面全体に複数のタイル４０ｂが等間隔に貼り付けられたコーナ用外装材４０が用いられ、その両端に上サネ４０ａ、４０ａを備えた構成とする。
【００３８】
また、上述したように、本実施の形態の建物は、壁や床、屋根といった建物の構成要素を予め工場にてパネル化しておき、施工現場でこれらのパネルを組み立てるパネル工法で構築されるものである。すなわち、前記建物の外壁は壁パネル３１、３２によって構成され、前記建物のコーナ部３０は前記壁パネル３１、３２どうしの端部を突き合わせることによって構成されるものである。
【００３９】
ここで、前記壁パネル３１、３２とは、縦横の框材が矩形状に組み立てられるとともに、矩形枠の内部に補助棧材が縦横に組み付けられて枠体が構成され、この枠体の両面もしくは片面に、面材が貼設されたものであり、内部中空な構造となっている。また、その内部中空な部分には、通常、グラスウールやロックウール等の断熱材が装填される。
【００４０】
このような壁パネル３１、３２を用いて、前記建物のコーナ部３０を形成するには、図４に示すように、一方の壁パネル３１、３２の一側側面に他方の壁パネル３１、３２の端面を突き合わせるようにして形成する。
さらに、このような壁パネル３１、３２の表面には、予め工場等で、前記建物のコーナ部３０を除く箇所に、上述したような幅方向一端に下サネ３ｃを他端に上サネ３ａを備えた第１の外装材３どうしがサネ接合されて、胴縁５を介して貼り付けられている。また、前記第１の外装材３と前記壁パネル３１、３２との間には前記防水透湿シート６が設けられている。
また、前記建物のコーナ部３０を除く箇所に取り付けられる第１の外装材３のうち、前記コーナ部３０に臨む第１の外装材３は、図３および図４に示すように、一方がその上サネ３ａがコーナ部３０に臨むように取り付けられており、他方がその下サネ３ｃがコーナ部３０に臨むように取り付けられている。
【００４１】
そして、以上のような構成の建物のコーナ部３０に前記補助目地材１を取り付けるには、図４に示すように、建物のコーナ部３０を除く壁面２に取り付けられた前記第１の外装材３のうち、前記建物のコーナ部３０に臨む第１の外装材３の上サネ３ａの下部に、前記補助目地材１を差し込んで取り付けるようにする。
なお、予め工場において前記補助目地材１を前記建物のコーナ部３０に臨む第１の外装材３の上サネ３ａの下部に差し込んで固定しておいても良い。
【００４２】
次に、図３に示すように、前記コーナ部３０に、両端に上サネ４０ａ、４０ａを備えたコーナ用外装材４０を取り付ける。
この時、前記コーナ用外装材４０の両端の上サネ４０ａ、４０ａが、前記コーナ部３０に臨む一方の第１の外装材３の上サネ３ａの下部に差し込まれた前記補助目地材１と、他方の第１の外装材３の下サネ３ｃとに嵌まり合うので、前記コーナ用外装材４０を前記コーナ部３０に被せるようにして簡単に取り付けることができるようになっている。
【００４３】
以上のような外装材３、４０どうしの接合部Ｂの構造によれば、建物のコーナ部３０において、前記第１の外装材３とコーナ用外装材４０との向かい合う上サネ３ａ、４０ａどうしの下部の隙間に、前記目地材本体１０が前記建物のコーナ部３０の上下方向に延在するようにして嵌め込まれており、これにより、前記目地材本体１０の表面に形成される前記１次リップ１１が前記第１の外装材３の上サネ３ａと前記コーナ用外装材４０の上サネ４０ａとに弾性的に密接しながら前記上サネ３ａ、４０ａどうしの隙間に露出する。また、前記目地材本体１０または１次リップ１１の幅方向両側に、外部側に向けて延出形成された前記２次リップ１２、１３が前記第１の外装材３の上サネ３ａと前記コーナ用外装材４０の上サネ４０ａとに弾性的に密接するようになっている。
一方、前記補助目地材１は、前記第１の外装材３の上サネ３ａと前記コーナ用外装材４０の上サネ４０ａとの下部の隙間に嵌め込まれることにより下サネとしての役割を果たすこととなる。このことから、前記建物のコーナ部３０を施工する際に、前記第１の外装材３の上サネ３ａの下部に前記補助目地材１を嵌め込んでおき、その上から前記コーナ用外装材４０を被せて固定するだけで、簡単に取り付けが完了するようになっている。
【００４４】
本実施の形態によれば、前記コーナ部３０を含み、前記建物の壁面２に隣接して取り付けられる外装材３、４（４０）どうしの上サネ３ａ、と上サネ４ａ（４０ａ）とが向かい合う際に、これら向かい合う上サネ３ａ、４ａ（４０ａ）どうしの下部の隙間に前記補助目地材１を嵌め込むことによって、この隙間に雨水等が侵入することを確実に防ぐことができ、外装材３、４（４０）の接合部Ａ（Ｂ）の止水性を格段に向上させることが可能となる。
一方、前記コーナ部３０を含み、建物の外壁を施工する際に、前記建物の壁面２に取り付けられる外装材３の上サネ３ａの下部に前記補助目地材１を嵌め込んでおき、この補助目地材１の上から外装材４（４０）を被せて固定するだけで、簡単に取り付けが完了する。したがって、従来に比して、外装材３、４（４０）の接合に係る施工性を向上させることが可能となり、延いては、建物の外壁の施工性を向上させることが可能となる。
【図面の簡単な説明】
【００４５】
【図１】本発明の補助目地材を示す斜視図である。
【図２】本発明の外装材の接合部の構造を示す平面図である。
【図３】図１の補助目地材を用いてなる建物のコーナ部の構造を示す平面図である。
【図４】図１の補助目地材を建物の壁面に取り付けられた外装材の上サネの下部に差し込んだことを示す斜視図である。
【図５】（ａ）、（ｂ）は本発明の補助目地材の他の形態を示す正面図である。
【符号の説明】
【００４６】
Ａ  外装材の接合部
Ｂ  外装材の接合部
１  補助目地材
２  壁面
３  外装材（第１の外装材）
４  外装材（第２の外装材）
１０  目地材本体
１１  １次リップ
１２  ２次リップ
１３  ２次リップ
１４  弾性脚部
３０  コーナ部
４０  コーナ用外装材
【図１】
2007009469.tif 000003
【図２】
2007009469.tif 000004
【図３】
2007009469.tif 000005
【図４】
2007009469.tif 000006
【図５】
2007009469.tif 000007